(57)【特許請求の範囲】
【請求項１】
メディアをＹ方向に搬送する搬送機構と、
放電部分で発生したプラズマをプラズマ照射口から射出して前記メディアの一部に照射するプラズマ照射機構、及びインクをノズルから吐出するヘッドを、前記Ｙ方向に交わる＋Ｘ方向及び−Ｘ方向に移動するキャリッジと、を備え、
前記プラズマ照射機構は、前記ヘッドに対して前記＋Ｘ方向の側に設けられた第１プラズマ照射部と、前記ヘッドに対して前記−Ｘ方向の側に設けられた第２プラズマ照射部と、を有し、
前記メディア内の部位Ｐに対して前記インクが吐出される前に、前記ヘッドに対して前記キャリッジの進行方向の前方に位置する側の、前記第１プラズマ照射部又は前記第２プラズマ照射部から、前記部位Ｐに対して、前記部位Ｐを親水化するプラズマが照射され、
前記親水化するプラズマが照射された前記部位Ｐに対して、前記インクを吐出することによって印刷を行い、
前記部位Ｐに対する印刷が完了した後に、前記ヘッドに対して前記キャリッジの進行方向の後方に位置する側の前記第１プラズマ照射部又は前記第２プラズマ照射部から前記部位Ｐに対して前記部位Ｐを撥水化するプラズマが照射される、インクジェット記録装置。
【請求項２】
請求項１において、
前記キャリッジは、前記メディア内の部位Ｐ上をｍ回（ｍは自然数）通過することで前記部位Ｐへの印刷が完了するように構成されており、
前記部位Ｐを撥水化するプラズマは、前記キャリッジが前記ｍ回目に前記部位Ｐ上を通過するときにのみ照射される、インクジェット記録装置。
【請求項３】
請求項１又は請求項２において、
前記キャリッジは、前記メディア内の部位Ｐ上を１回通過することで前記部位Ｐへの印刷が完了するように構成されており、
前記第１プラズマ照射部及び前記第２プラズマ照射部は、前記キャリッジの進行方向に応じて、前記メディアを親水化するプラズマと前記メディアを撥水化するプラズマとを切り替えて照射できるように構成されている、インクジェット記録装置。
【請求項４】
請求項３において、
前記メディア内の部位Ｐに対して印刷を行う際に、前記キャリッジが前記＋Ｘ方向に移動するときは、前記第１プラズマ照射部から、前記部位Ｐに対して、前記部位Ｐを親水化するプラズマが照射され、前記第２プラズマ照射部から、前記部位Ｐに対して、前記部位Ｐを撥水化するプラズマが照射され、
前記メディア内の部位Ｐに対して印刷を行う際に、前記キャリッジが前記−Ｘ方向に移動するときは、前記第２プラズマ照射部から、前記部位Ｐに対して、前記部位Ｐを親水化するプラズマが照射され、前記第１プラズマ照射部から、前記部位Ｐに対して、前記部位Ｐを撥水化するプラズマが照射される、インクジェット記録装置。
【請求項５】
請求項１又は請求項２において、
前記キャリッジは、前記メディア内の部位Ｐ上をｍ回（ｍは２以上の自然数）通過することで、前記部位Ｐへの印刷が完了するように構成されており、
前記第１プラズマ照射部及び前記第２プラズマ照射部は、それぞれｍ個の部分プラズマ照射部を有し、
前記ｍ個の部分プラズマ照射部は、前記Ｙ方向に配列されており、
前記Ｙ方向のうち、前記メディアが送出される方向を＋Ｙ方向としたとき、
前記第１プラズマ照射部の前記ｍ個の部分プラズマ照射部のうち、最も＋Ｙ方向の側に配置された１つと、前記第２プラズマ照射部の前記ｍ個の前記部分プラズマ照射部のうち、最も＋Ｙ方向の側に配置された１つは、前記キャリッジの進行方向に応じて、前記メディアを親水化するプラズマと前記メディアを撥水化するプラズマとを切り替えて照射できるように構成されている、インクジェット記録装置。
【請求項６】
請求項５において、
ｍ回目に前記キャリッジが前記部位Ｐ上を通過する際に、前記キャリッジが前記部位Ｐ上を＋Ｘ方向に移動するときは、
前記第１プラズマ照射部の前記部位Ｐに対応する位置に設けられた部分プラズマ照射部から、前記部位Ｐに対して、前記部位Ｐを親水化するプラズマが照射され、前記第２プラズマ照射部の前記部位Ｐに対応する位置に設けられた部分プラズマ照射部から、前記部位Ｐに対して、前記部位Ｐを撥水化するプラズマが照射され、
ｍ回目に前記キャリッジが前記部位Ｐ上を通過する際に、前記キャリッジが前記部位Ｐ上を−Ｘ方向に移動するときは、
前記第２プラズマ照射部の前記部位Ｐに対応する位置に設けられた部分プラズマ照射部から、前記部位Ｐに対して、前記部位Ｐを親水化するプラズマが照射され、前記第１プラズマ照射部の前記部位Ｐに対応する位置に設けられた部分プラズマ照射部から、前記部位Ｐに対して、前記部位Ｐを撥水化するプラズマが照射される、インクジェット記録装置。
【請求項７】
請求項１又は請求項２において、
前記キャリッジは、前記メディア内の部位Ｐ上をｍ回（ｍは２以上の自然数）通過することで、前記部位Ｐへの印刷が完了するように構成されており、
前記第１プラズマ照射部及び前記第２プラズマ照射部は、それぞれ、
前記部位Ｐを親水化するプラズマを照射するための親水化専用部分プラズマ照射部と、
前記部位Ｐを撥水化するプラズマを照射するための撥水化専用部分プラズマ照射部と、を備え、
前記Ｙ方向のうち、前記メディアが送出される方向を＋Ｙ方向としたとき、
前記撥水化専用部分プラズマ照射部は、前記親水化専用部分プラズマ照射部に対して＋Ｙ方向の側に配置される、インクジェット記録装置。
【請求項８】
メディアをＹ方向に搬送する搬送機構と、
放電部分で発生したプラズマをプラズマ照射口から射出して前記メディア内の一部に照射するプラズマ照射機構、及びインクをノズルから吐出するヘッドを、前記Ｙ方向に交わる＋Ｘ方向及び−Ｘ方向に移動するキャリッジと、を備え、
前記プラズマ照射機構が、前記ヘッドに対して前記＋Ｘ方向の側に設けられた第１プラズマ照射部と、前記ヘッドに対して前記−Ｘ方向の側に設けられた第２プラズマ照射部と、を有する、インクジェット記録装置を用いて印刷する印刷方法であって、
前記メディア内の部位Ｐに対して前記インクが吐出される前に、前記ヘッドに対して前記キャリッジの進行方向の前方に位置する前記第１プラズマ照射部又は前記第２プラズマ照射部から、前記部位Ｐに対して、前記部位Ｐを親水化するプラズマを照射する工程と、
前記親水化するプラズマが照射された前記部位Ｐに対して、前記インクを吐出することによって印刷を行う工程と、
前記部位Ｐに対する印刷が完了した後に、前記第１プラズマ照射部又は前記第２プラズマ照射部のうち前記ヘッドに対して前記キャリッジの進行方向の後方に位置する照射部から前記部位Ｐに対して前記部位Ｐを撥水化するプラズマを照射する工程と、を有する、印刷方法。
【発明の詳細な説明】
【技術分野】
【０００１】
本発明は、インクジェット記録装置及び印刷方法に関する。
【背景技術】
【０００２】
インクジェット記録装置は、インクの小滴を飛翔させて紙などのメディア（被記録媒体）上に付着させて印刷を行う。近年のインクジェット記録技術の進歩により、インク吸収性の高い絹、ポリエステル、綿といった布帛や、インク非吸収性のプラスチック系のメディアにも印刷することが可能となってきている。
【０００３】
プラスチック系のメディアは、インクとの親和性が不足して、インクの定着が不足して安定な印刷が得られない場合があり、例えば、プラズマ処理によってメディアの表面を改質する試みが為されている（例えば、特許文献１〜３）。また、特許文献４には、インクジェット記録装置に、プラズマ処理の機能を持たせて、プラズマ処理とともにインクジェット記録を行う試みが為され、メディア上でのインクの濡れ性が高まり、印字効率が向上する等の記載がある。
【先行技術文献】
【特許文献】
【０００４】
【特許文献１】特開２０００−１０２７６１号公報
【特許文献２】特開平１０−３１０１４３号公報
【特許文献３】特許第４０６６２８号
【特許文献４】特開２０１２−１７９７４７号公報
【発明の概要】
【発明が解決しようとする課題】
【０００５】
しかしながら、メディアの濡れ性の向上によって、インクが濡れ拡がり、印刷効率は高まるものの、印刷終了後には、むしろ高い濡れ性は、不都合となる。例えば、印刷終了後にメディア表面の濡れ性が高いと、指紋や汚れが付着しやすくなってしまう。また、メディアがフィルムであり、例えば食品や薬品を包装するためのパックとして用いられる場合は、水中に浸漬されたり、その状態で煮沸されたりする可能性もある。その場合にメディア表面の濡れ性が高いと、インクがメディアから剥がれてしまう可能性がある。また、このような問題を低減するために、別工程でメディア表面の濡れ性を低下させるような、撥水化処理を施すと、生産性が低下し、生産コストの増加を招いてしまう。
【０００６】
本発明の幾つかの態様に係る目的の１つは、印刷後のインクのメディアに対する埋まり性が良好で、かつ、堅牢性の良好な印刷が可能なインクジェット記録装置、及び印刷方法を提供することにある。
【課題を解決するための手段】
【０００７】
本発明は、上記課題の少なくとも一部を解決するために為されたものであり、以下の態様又は適用例として実現することができる。
【０００８】
［適用例１］
本発明に係るインクジェット記録装置の一態様は、
メディアをＹ方向に搬送する搬送機構と、
放電部分で発生したプラズマをプラズマ照射口から射出して前記メディアの一部に照射するプラズマ照射機構、及びインクをノズルから吐出するヘッドを、前記Ｙ方向に交わる
＋Ｘ方向及び−Ｘ方向に移動するキャリッジと、を備え、
前記プラズマ照射機構は、前記ヘッドに対して前記＋Ｘ方向の側に設けられた第１プラズマ照射部と、前記ヘッドに対して前記−Ｘ方向の側に設けられた第２プラズマ照射部と、を有し、
前記メディア内の部位Ｐに対して前記インクが吐出される前に、前記ヘッドに対して前記キャリッジの進行方向の前方に位置する側の、前記第１プラズマ照射部又は前記第２プラズマ照射部から、前記部位Ｐに対して、前記部位Ｐを親水化するプラズマが照射され、
前記親水化するプラズマが照射された前記部位Ｐに対して、前記インクを吐出することによって印刷を行い、
前記部位Ｐに対する印刷が完了した後に、前記ヘッドに対して前記キャリッジの進行方向の後方に位置する側の前記第１プラズマ照射部又は前記第２プラズマ照射部から前記部位Ｐに対して前記部位Ｐを撥水化するプラズマが照射される。
【０００９】
このようなインクジェット記録装置によれば、親水化プラズマ処理の後、印刷が行われることで、メディアの濡れ性の良好な状態でインクの付与が可能であり、インクの濡れ拡がりによりメディア上でのインクの埋まり性が良好となる。しかも、印刷完了後に、撥水化プラズマ処理が行われることで、印刷後のメディアやインクの表面が疎水化されるため、水分等によるインクの剥がれ等の現象を生じにくい堅牢性の良好な印刷を行うことができる。
【００１０】
［適用例２］適用例１において、
前記キャリッジは、前記メディア内の部位Ｐ上をｍ回（ｍは自然数）通過することで前記部位Ｐへの印刷が完了するように構成されてもよく、
前記部位Ｐを撥水化するプラズマは、前記キャリッジが前記ｍ回目に前記部位Ｐ上を通過するときにのみ照射されてもよい。
【００１１】
このようなインクジェット記録装置によれば、メディアにインクが付与される際に、撥水化プラズマがメディアに射出されないようにすることができる。これにより親水化されたメディアやインクの上にインクを付与することができ、埋まり性をさらに高めることができる。
【００１２】
［適用例３］適用例１又は適用例２において、
前記キャリッジは、前記メディア内の部位Ｐ上を１回通過することで前記部位Ｐへの印刷が完了するように構成されてもよく、
前記第１プラズマ照射部及び前記第２プラズマ照射部は、前記キャリッジの進行方向に応じて、前記メディアを親水化するプラズマと前記メディアを撥水化するプラズマとを切り替えて照射できるように構成されてもよい。
【００１３】
このようなインクジェット記録装置によれば、親水化処理用のプラズマ照射部と撥水化処理用のプラズマ照射部を別個に設ける必要がない。これによりプラズマ照射機構の配置の自由度の向上、及び／又は、プラズマ照射機構の小型化を行うことができる。
【００１４】
［適用例４］適用例３において、
前記メディア内の部位Ｐに対して印刷を行う際に、前記キャリッジが前記＋Ｘ方向に移動するときは、前記第１プラズマ照射部から、前記部位Ｐに対して、前記部位Ｐを親水化するプラズマが照射され、前記第２プラズマ照射部から、前記部位Ｐに対して、前記部位Ｐを撥水化するプラズマが照射され、
前記メディア内の部位Ｐに対して印刷を行う際に、前記キャリッジが前記−Ｘ方向に移動するときは、前記第２プラズマ照射部から、前記部位Ｐに対して、前記部位Ｐを親水化するプラズマが照射され、前記第１プラズマ照射部から、前記部位Ｐに対して、前記部位
Ｐを撥水化するプラズマが照射されてもよい。
【００１５】
［適用例５］適用例１又は適用例２において、
前記キャリッジは、前記メディア内の部位Ｐ上をｍ回（ｍは２以上の自然数）通過することで、前記部位Ｐへの印刷が完了するように構成されてもよく、
前記第１プラズマ照射部及び前記第２プラズマ照射部は、それぞれｍ個の部分プラズマ照射部を有し、
前記ｍ個の部分プラズマ照射部は、前記Ｙ方向に配列されており、
前記Ｙ方向のうち、前記メディアが送出される方向を＋Ｙ方向としたとき、
前記第１プラズマ照射部の前記ｍ個の部分プラズマ照射部のうち、最も＋Ｙ方向の側に配置された１つと、前記第２プラズマ照射部の前記ｍ個の前記部分プラズマ照射部のうち、最も＋Ｙ方向の側に配置された１つは、前記キャリッジの進行方向に応じて、前記メディアを親水化するプラズマと前記メディアを撥水化するプラズマとを切り替えて照射できるように構成されてもよい。
【００１６】
［適用例６］適用例５において、
ｍ回目に前記キャリッジが前記部位Ｐ上を通過する際に、前記キャリッジが前記部位Ｐ上を＋Ｘ方向に移動するときは、
前記第１プラズマ照射部の前記部位Ｐに対応する位置に設けられた部分プラズマ照射部から、前記部位Ｐに対して、前記部位Ｐを親水化するプラズマが照射され、前記第２プラズマ照射部の前記部位Ｐに対応する位置に設けられた部分プラズマ照射部から、前記部位Ｐに対して、前記部位Ｐを撥水化するプラズマが照射されてもよく、
ｍ回目に前記キャリッジが前記部位Ｐ上を通過する際に、前記キャリッジが前記部位Ｐ上を−Ｘ方向に移動するときは、
前記第２プラズマ照射部の前記部位Ｐに対応する位置に設けられた部分プラズマ照射部から、前記部位Ｐに対して、前記部位Ｐを親水化するプラズマが照射され、前記第１プラズマ照射部の前記部位Ｐに対応する位置に設けられた部分プラズマ照射部から、前記部位Ｐに対して、前記部位Ｐを撥水化するプラズマが照射されてもよい。
【００１７】
［適用例７］適用例１又は適用例２において、
前記キャリッジは、前記メディア内の部位Ｐ上をｍ回（ｍは２以上の自然数）通過することで、前記部位Ｐへの印刷が完了するように構成されてもよく、
前記第１プラズマ照射部及び前記第２プラズマ照射部は、それぞれ、
前記部位Ｐを親水化するプラズマを照射するための親水化専用部分プラズマ照射部と、
前記部位Ｐを撥水化するプラズマを照射するための撥水化専用部分プラズマ照射部と、を備えてもよく、
前記Ｙ方向のうち、前記メディアが送出される方向を＋Ｙ方向としたとき、
前記撥水化専用部分プラズマ照射部は、前記親水化専用部分プラズマ照射部に対して＋Ｙ方向の側に配置されてもよい。
【００１８】
このようなインクジェット記録装置によれば、メディアにインクが付与される際に、撥水化プラズマがメディアに照射されないようにすることができる。またこのようなインクジェット記録装置によれば、プラズマ照射機構に、親水化と撥水化の切り替え機構を備える必要がない。これによりプラズマ照射機構の小型化を行うことができる。
【００１９】
［適用例８］
本発明に係る印刷方法の一態様は、
メディアをＹ方向に搬送する搬送機構と、
放電部分で発生したプラズマをプラズマ照射口から射出して前記メディア内の一部に照射するプラズマ照射機構であって、前記ヘッドに対して前記＋Ｘ方向の側に設けられた第
１プラズマ照射部と、前記ヘッドに対して前記−Ｘ方向の側に設けられた第２プラズマ照射部と、を有する、プラズマ照射機構、及びインクをノズルから吐出するヘッドを、前記Ｙ方向に交わる＋Ｘ方向及び−Ｘ方向に移動するキャリッジと、
を備えた、インクジェット記録装置を用いて印刷する印刷方法であって、
前記メディア内の部位Ｐに対して前記インクが吐出される前に、前記ヘッドに対して前記キャリッジの進行方向の前方に位置する前記第１プラズマ照射部又は前記第２プラズマ照射部から、前記部位Ｐに対して、前記部位Ｐを親水化するプラズマを照射する工程と、
前記親水化するプラズマが照射された前記部位Ｐに対して、前記インクを吐出することによって印刷を行う工程と、
前記部位Ｐに対する印刷が完了した後に、前記第１プラズマ照射部又は前記第２プラズマ照射部のうち前記ヘッドに対して前記キャリッジの進行方向の後方に位置する照射部から前記部位Ｐに対して前記部位Ｐを撥水化するプラズマを照射する工程と、を有する。
【００２０】
このようにすれば、親水化プラズマ処理の後、印刷をすることで、メディアの濡れ性の良好な状態でインクの付与が可能であり、インクの濡れ拡がりによりメディア上でのインクの埋まり性が良好となる。しかも、印刷後に、撥水化プラズマ処理を行うことで、印刷後のメディアやインクの表面が疎水化されるため、水分等によるインクの剥がれ等の現象を生じにくい堅牢性の良好な印刷を行うことができる。
【図面の簡単な説明】
【００２１】
【図１】実施形態に係るインクジェット記録装置の概要を模式的に示す図である。
【図２】実施形態のキャリッジの構成を模式的に示す底面図である。
【図３】実施形態のキャリッジの構成を模式的に示す側面図である。
【図４】実施形態の部分プラズマ照射部の断面を模式的に示す図である。
【図５】実施形態に係る切り替え機構の一例を示す模式図である。
【図６】実施形態のキャリッジにおけるヘッド及びプラズマ照射機構の配置の例を示す模式図である。
【図７】実施形態のインクジェット記録装置の動作の例を模式的に示す図である。
【図８】実施形態のインクジェット記録装置の動作の例を模式的に示す図である。
【図９】実施形態のインクジェット記録装置の動作の例を模式的に示す図である。
【図１０】実施形態のインクジェット記録装置の動作の例を模式的に示す図である。
【図１１】実施形態のインクジェット記録装置の動作の例を模式的に示す図である。
【発明を実施するための形態】
【００２２】
以下に本発明のいくつかの実施形態について説明する。以下に説明する実施形態は、本発明の一例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００２３】
１．インクジェット記録装置
本実施形態のインクジェット記録装置１は、搬送機構１０と、プラズマ照射機構２０、及びヘッド４０を移動するキャリッジ３０と、を備える。以下の説明では、互いに直交する３つの方向を、それぞれＸ、Ｙ及びＺ方向として説明する。また、Ｚ方向を鉛直方向、Ｙ方向をメディアの搬送方向とする。またこれらの方向に沿った向きを表すときには、＋及び−を付して表現する。例えば、鉛直上方向を＋Ｚ方向、下方向を−Ｚ方向とする。図面にも、これに対応する３つの方向を記載しており、矢印の向く方向を＋方向とする。なお、本明細書では、Ｘ、Ｙ及びＺ方向を「右手系」で表現するが、適宜「左手系」でも表すことができる。また、本実施形態のインクジェット記録装置１は、必ずしも直交座標系に従う必要はなく、適宜の３軸に沿って構成あるいは動作されてもよい。
【００２４】
図１は、本実施形態に係るインクジェット記録装置１を模式的に示す図である。インクジェット記録装置１は、メディア２をＹ方向（第１方向）に搬送する搬送機構１０と、Ｙ方向と交わるＸ方向（第２方向）に移動しつつ印刷をするキャリッジ３０と、を有する。
【００２５】
１．１．搬送機構
搬送機構１０は、メディア２をＹ方向に搬送する。搬送機構１０は、メディア２を＋Ｙ方向又は−Ｙ方向に任意に搬送することができる。図１では、メディア２が、図中に付した矢印の方向（＋Ｙ方向）に搬送される例を示している。搬送機構１０は、印刷の態様に応じて、メディア２をＹ方向に搬送できれば限定されず、例えばローラー１１と、プラテン１２とを備える。そして、例えば、１つ以上のローラー１１を回転させることによって、メディア２を搬送する。ローラー１１の位置や個数についても限定されない。プラテン１２は、必要に応じて設けられ、メディア２において画像を印刷する面と反対側の面からメディア２を支持する。プラテン１２には、ヒーターが内蔵されていていてもよい。
【００２６】
１．２．キャリッジ
図２は、キャリッジ３０の構成の一例を模式的に示す底面図である。図２に示すように、キャリッジ３０は、放電部分で発生したプラズマをプラズマ照射口２５から放出してメディア２の少なくとも一部に照射するプラズマ照射機構２０と、プラズマが照射されたメディア２の部位にインクを吐出するヘッド４０と、を搭載しており、これらを一体的にＹ方向に交わる＋Ｘ方向及び−Ｘ方向に移動させる。
【００２７】
図３は、キャリッジ３０の構成の一例を模式的に示す側面図である。図３に示すように、印刷時において、キャリッジ３０はメディア２に対して近接して配置される。メディア２に対して、プラズマ照射機構２０のプラズマ照射口２５及びヘッド４０のノズル４１が対向して配置されている。
【００２８】
１．３．プラズマ照射機構
プラズマ照射機構２０は、ヘッド４０に対してＸ方向の両側（＋Ｘ方向側と−Ｘ方向側）に設けられている。図２に例示したプラズマ照射機構２０は、スポット型（ジェット型ともいう。）のプラズマ照射口２５を有する部分プラズマ照射部２７が複数配置された例であり、各プラズマ照射口２５が、それぞれ個別の部分プラズマ照射部２７によって配置されている。なお、本明細書では、説明の便宜上、ヘッド４０に対して＋Ｘ方向の側に設けられたプラズマ照射部を、第１プラズマ照射部２１ａと称する場合があり、ヘッド４０に対して−Ｘ方向の側に設けられたプラズマ照射部を、第２プラズマ照射部２１ｂと称する場合がある。プラズマ照射機構２０は、プラズマ照射口２５がヘッド４０に対してＸ方向の両側に設けられることから、少なくとも、第１プラズマ照射部２１ａ及び第２プラズマ照射部２１ｂの２つのプラズマ照射部を含む。
【００２９】
また、プラズマ照射部（第１プラズマ照射部２１ａ及び第２プラズマ照射部２１ｂの一方又は両方）は、部分プラズマ照射部２７を組み合わせて構成されてもよい。図２の例では、プラズマ照射機構２０は、第１プラズマ照射部２１ａ及び第２プラズマ照射部２１ｂがそれぞれ２つの部分プラズマ照射部２７から構成され、全部で４つの部分プラズマ照射部２７から構成されている。なお、プラズマ照射機構２０は、部分プラズマ照射部２７を有さずに、ヘッド４０に対してＸ方向の両側にそれぞれ設けられた２つの単一のプラズマ照射部から構成されてもよい。
【００３０】
プラズマ照射部又は部分プラズマ照射部２７は、プラズマ照射口２５の形状によってスポット型（ジェット型ともいう。）とライン型に分類される。前者の形状のプラズマ照射口２５は、Ｘ方向及びＹ方向の径がほぼ同じサイズであり、スポット形状である。後者のプラズマ照射口２５は、Ｘ方向又はＹ方向のいずれか一方向のサイズが大きく、当該方向
に沿って伸びるライン形状である。スポット型のプラズマ照射部及び部分プラズマ照射部２７は、ガス種の選択肢が大きいという利点がある。プラズマ照射部を複数の部分プラズマ照射部２７によって構成する場合、各部分プラズマ照射部２７は、それぞれ独立にスポット型又はライン型としてよい。
【００３１】
図２に示す例では、第１プラズマ照射部２１ａ及び第２プラズマ照射部２１ｂがそれぞれ並んで配置された２つのスポット型の部分プラズマ照射部２７によって構成されている。２つの部分プラズマ照射部２７は、メディア２の搬送方向（Ｙ方向）に沿って並べられている。２つの部分プラズマ照射部２７の間の間隔は、各部分プラズマ照射部２７からプラズマが同時に照射された場合に、Ｙ方向において隙間無くメディア２に照射されることが望ましい。また、メディア２上における、照射されたプラズマ（照射部分：スポット）のＹ方向の長さは、ヘッド４０のノズル４１の列（Ｙ方向に配列）の長さと同じかより長くてもよい。
【００３２】
プラズマ照射機構２０は、ヘッド４０の大きさ、ヘッド４０のノズル４１の列の長さ、印刷の態様、等に応じて、種々の構成を採ることができる。キャリッジ３０におけるプラズマ照射機構２０及びヘッド４０の配置のバリエーションについては後述する。
【００３３】
１．３．１．プラズマ照射部
プラズマ照射部及び部分プラズマ照射部２７は、放電部分で発生したプラズマをプラズマ照射口２５から射出してメディア２の少なくとも一部に照射する、いわゆるリモート方式のプラズマノズルである。大気圧プラズマを用いたプラズマ照射の態様は、ダイレクト方式とリモート方式に分類される。ダイレクト方式とは、電極間で発生する放電部分が直接基材に触れる状態でプラズマを照射することであって、放電部分が直接基材に触れるとは、例えば、電極の間に被処理体（本実施形態ではメディア２）を配置してプラズマ処理することを指す。リモート方式とは、電極間で発生させたプラズマを被処理体に吹き付けて処理する方式である。ダイレクト方式を採用した場合には、電極間の放電部分（放電領域）にメディア２が晒されることから、メディア２が損傷するという不利益が生じることがある。本実施形態では、リモート方式を採用することから、メディア２がプラズマ照射部及び部分プラズマ照射部２７の放電部分から離間して配置されるため、メディア２の損傷や変色を未然に抑制することができ、印刷品質の向上を図ることができる。
【００３４】
本実施形態では、図３に示すように、メディア２の表面からプラズマ照射口２５までの距離をＢと定義する。本実施形態では、複数のプラズマ照射口２５は、いずれもメディア２から距離Ｂの位置に配置される（ただし製造上の誤差や動作中のブレ等により、Ｂの値は多少ずれることがある。）。本実施形態ではリモート型を用いるため、距離Ｂを小さくしても、プラズマ照射部２１及び部分プラズマ照射部２７の放電部分がメディア２に悪影響（放電によるメディア２の変色（黄変等））を与えることは希であり、また、距離Ｂを大きくすれば、プラズマの強度は低下するかわりにメディア２上のより広い面積にプラズマを照射することができる。逆に距離Ｂを小さくすれば、プラズマ照射によるメディア２の表面改質の効果を高めることができる。距離Ｂは、２ｍｍ以上１０ｍｍ以下程度であればよいが、上記観点から、３ｍｍ以上１０ｍｍ以下が好ましく、４ｍｍ以上７ｍｍ以下がより好ましい。なお、メディア２の表面からヘッド４０のノズル４１までの距離Ａ及びノズル４１とプラズマ照射口２５との最短距離Ｃは、いずれも特に限定されない。
【００３５】
図４は、部分プラズマ照射部２７の断面を模式的に示す図である。例えばライン型のプラズマ照射部についても同様であるため、ここでは、部分プラズマ照射部２７について説明する。部分プラズマ照射部２７は、ガス貯留部（図示せず）と接続されたガス供給室２２と、プラズマ電源２４に接続された、ガス供給室２２の少なくとも一部に対向するように設けられた電極対２３と、プラズマ照射口２５と、排気管２６と、を備える。
【００３６】
ガス供給室２２は、図示しないガス供給管によってガス貯留部と接続されており、ガス貯留部に貯留されたガスが流入可能な状態になっている。ガス供給室２２の任意の位置に、電極対２３が設けられている。電極対２３は、対向するように設置された電極２３ａ及び電極２３ｂを備える。電極２３ａ及び電極２３ｂには、電圧が印加できるように、プラズマ電源２４が接続されている。
【００３７】
プラズマ照射口２５は、メディア２に対向するガス供給室２２の先端に設けられている。プラズマ照射口２５は、電極２３ａ及び電極２３ｂの間を通過して発生したプラズマを照射するためのノズルである。電極２３ａと電極２３ｂの間の領域が放電部分Ｒ（放電領域）となる。
【００３８】
排気管２６は、必要に応じて設けられ、余剰ガスを吸引、排気しながらプラズマ照射を行うことで、プラズマ照射口２５から放射されるプラズマ照射範囲を適正化し、所望の範囲を局所的に処理するために設置される。排気管２６の設置位置は、特に限定されるものではないが、例えば図４の例では、２つの排気管２６ａ及び排気管２６ｂを備えており、ガス供給室２２に沿って設けられている。
【００３９】
プラズマ電源２４によって電極２３ａ及び電極２３ｂに電圧が印加されると、電極２３ａと電極２３ｂとの間に放電が生じる（放電部分Ｒ）。このように放電が生じている状態で、ガス供給室２２にガスを供給して、電極２３ａ及び電極２３ｂとの間にガスを通過させることで、ガスのプラズマ化が生じる（すなわち、ガスの少なくとも一部がプラズマ化する）。このようにして発生したプラズマは、プラズマ照射口２５からメディア２の表面に向かって照射される。すなわち、放電部分Ｒで発生させたプラズマは、放電部分Ｒがメディア２に接触しない状態でメディア２の表面に照射される。換言すれば、メディア２は、放電部分Ｒを通過しないので、放電部分Ｒに直接接触することがない。このようなプラズマ発生機構は、上述したように、リモート方式と呼ばれるものである。
【００４０】
このように、放電部分にメディアを接触させないリモート方式のプラズマ照射機構を用いることで、メディア２と放電部分とが離間するため、メディア２の変色等を抑制できるので、メディア２の風合いや色合いが維持される。特に、白色度の高いメディアを使用する場合に、その効果が一層高い。
【００４１】
プラズマ照射機構２０は、大気圧下でプラズマを発生させて照射するプラズマ照射部によって構成されることが好ましい。大気圧下でプラズマを発生させる場合には、プラズマ照射部に減圧部分を設けることが不要となって装置の小型化が図れることから、プラズマ照射工程をインラインで行える（すなわち、プラズマ照射工程、インク吐出工程、等の工程を連続で行える）という利点がある。ここで、プラズマを発生させる際の圧力は、プラズマを発生させる際のガス供給室２２内の圧力のことをいう。
【００４２】
プラズマを発生させる際の電力量としては、供給したガスからプラズマを発生できるのであれば特に限定されるものではないが、例えば、２０Ｗｈ以上２００Ｗｈ以下とすることができる。
【００４３】
プラズマを発生させる際のプラズマ電源２４の周波数としては、供給したガスからプラズマを発生できるのであれば特に限定されるものではないが、例えば、５０Ｈｚ以上３０ＭＨｚ以下である。なお、プラズマ電源２４は、直流電源であってもよい。ただし、直流電源を用いると、発生したプラズマが熱平衡状態となり、温度上昇しやすいため、交流電源を用いることが好ましい。交流電源を用いると、非平衡状態でプラズマを生成できるため、温度上昇を防止することができる。
【００４４】
ガス供給室２２には、１種類のガスが供給されてもよいし、２種以上のガスを混合して得られる混合ガスが供給されてもよい。このようなガスの原料としては、例えば、酸素（Ｏ２）、窒素（Ｎ２）、空気（少なくとも窒素（Ｎ２）及び酸素（Ｏ２）を含む）、水蒸気（Ｈ２Ｏ）、亜酸化窒素（Ｎ２Ｏ）、アンモニア（ＮＨ３）、アルゴン（Ａｒ）、ヘリウム（Ｈｅ）、ネオン（Ｎｅ）、四フッ化メタン（ＣＦ４）、六フッ化エタン（Ｃ２Ｆ６）等が挙げられる。
【００４５】
ガスの原料に、窒素（Ｎ２）、酸素（Ｏ２）、水蒸気（Ｈ２Ｏ）、アルゴン（Ａｒ）が含まれる場合には、発生されるプラズマは、メディア２の表面を親水化させる効果が高くなる。これらの中でも、酸素（Ｏ２）、水蒸気（Ｈ２Ｏ）を含む場合には、メディア２の表面を親水化させる効果の高いプラズマを発生させることができる。一方、ガスの原料に、四フッ化メタン（ＣＦ４）、六フッ化エタン（Ｃ２Ｆ６）等のフッ素化合物のガスが含まれる場合には、発生されるプラズマは、メディア２の表面を撥水化させる効果を有する。また、例えば、ガス供給室２２に酸素等の酸化ガスを供給すると、メディア２の表面にヒドロキシ基を付与しやすく、メディア２の親水化の程度を高めることができる。また、メディア２の表面の分子構造中に酸素原子が含まれる場合には、ガス供給室２２に供給するガスとして希ガスを用いると、希ガスに由来するプラズマがメディア２に含まれる酸素の結合を切断できる場合があり、メディア２の表面にヒドロキシ基を発生させやすく、メディア２の表面を親水化しやすい。
【００４６】
ガス供給室２２に供給されるガスの流量は、ガス供給室２２の容量、ガスの種類、メディアの種類、印刷速度等に応じて適宜設定することができ、特に制限されない。ただし、プラズマ照射口２５から送出される風量は、ジェット型（スポット型）とライン型とで異なる。
【００４７】
すなわち、例えば、ジェット型を２つ設ける場合には、１つ当たりの照射面積は、典型的には１〜２ｃｍ２であり、ライン型は、１つ設ける場合には、１つ当たりの照射面積は、典型的には、（ライン型プラズマ照射口の長さ［ｃｍ］と１〜２［ｃｍ］との積）［ｃｍ２］（いずれの面積も、距離Ｂに依存し、Ｂの値が小さいほど照射面積が小さく、Ｂの値が大きいほど照射面積が大きくなる。）である。そして、プラズマ照射口２５から送出される風量は、ライン型の方が大きく、ジェット型では典型的には、１個あたり約１０Ｌ／ｍｉｎであり、ライン型では典型的には、１個あたり約３０Ｌ／ｍｉｎであるため、風量はライン型の方が大きい。
【００４８】
そのため、プラズマ照射機構２０は、プラズマ照射部のタイプ（ジェット型、ライン型の選定）や数、照射面積、等を考慮して、適宜な構成に設計する。また、風量の影響としては、プラズマを発生させるときに原料ガス流量が少なすぎる場合には、プラズマの電離が進みすぎ、放電が束状となり、不均一になる場合があり、原料ガス流量が多すぎる場合には、プラズマの電離が進む前に排気（プラズマ照射口２５から排出）されてしまい、プラズマ化されにくく、メディア２の表面の親水化あるいは撥水化の処理効率が落ちる場合がある、ということも考慮してプラズマ照射機構２０を設計することが好ましい。
【００４９】
１．３．２．切り替え機構
本実施形態のプラズマ照射部又は部分プラズマ照射部２７は、いずれも、親水化プラズマを発生させるための原料ガスの供給と、撥水化プラズマを発生させるための原料ガスの供給と、を切り替えるための切り替え機構６０を有してもよい。
【００５０】
切り替え機構６０は、プラズマ照射部を、キャリッジ３０の進行方向に応じて、メディア２を親水化するプラズマとメディア２を撥水化するプラズマとを切り替えて照射できる
ようにする。また、第１プラズマ照射部２１ａ及び第２プラズマ照射部２１ｂが複数の部分プラズマ照射部２７で構成された場合でも、各部分プラズマ照射部２７に対して、それぞれ、メディア２を親水化するプラズマとメディア２を撥水化するプラズマとを切り替えて照射できるようにすることもできる。
【００５１】
図５は、インクジェット記録装置１における切り替え機構６０の一例を示す模式図である。図５及びその説明において、既に図１〜図４を用いて説明した構成と同一の構成については、同一の符号を付し、その詳細な説明を省略する。
【００５２】
図５に示すように、インクジェット記録装置１における切り替え機構６０は、親水化プラズマを生成させるための原料ガスを供給するガス供給源６１ａと、撥水化プラズマを生成させるための原料ガスを供給するガス供給源６１ｂと、を有する。また、切り替え機構６０は、各ガス供給源からのガスの供給量をそれぞれ調製するマスフローコントローラ（ＭＦＣ）６２ａ及びマスフローコントローラー（ＭＦＣ）６２ｂと、各ＭＦＣからのガスを切り替えてプラズマ照射部２１又は部分プラズマ照射部２７の供給室２２に供給する三方弁６３と、プラズマ照射部２１又は部分プラズマ照射部２７の電極対２３に接続されたプラズマ電源２４（電源部）と、プラズマ照射口２５を開閉可能なシャッター６５と、シャッター６５を駆動するシャッター駆動部６６とを有する。制御部６７は、装置の各種の動作を制御するものであり、例えば、三方弁６３の開閉動作、プラズマ電源２４のオン／オフ、シャッター駆動部６６によるシャッター６５の開閉動作、ローラー１１の回転等を制御する。
【００５３】
シャッター６５は、プラズマ照射口２５とメディア２との間に設けられる。シャッター６５は、図５中、矢印で示したように、Ｙ方向に沿って往復移動することでプラズマ照射口２５を開閉する。
【００５４】
制御部６７は、インクジェット記録装置１における印刷のモード（例えばパス数（後述））に応じて、プラズマ照射部又は部分プラズマ照射部２７から、親水化プラズマ又は撥水化プラズマを生成させる制御を行う。表１に、プラズマ照射部又は部分プラズマ照射部２７から親水化プラズマ又は撥水化プラズマを生成させる際の、シャッター６５、三方弁６３、ＭＦＣ６２ａ、ＭＦＣ６２ｂ、及びプラズマ電源２４の制御動作を示したものである。
【００５５】
【表１】
0006429008.tif 000002
【００５６】
表１に示すように、切り替え機構６０の制御部６７によって、メディア２に対して照射されるプラズマが親水化プラズマ又は撥水化プラズマに切り替えられる。生成されたプラズマは、プラズマ照射口２５から射出され、メディア２に照射される。なお、切り替え機構６０は、表１に示すように、プラズマ照射部又は部分プラズマ照射部２７からプラズマを照射させないように制御することもできる。換言すれば、切り替え機構６０は、プラズマ照射口２５から照射されるプラズマを、親水化のプラズマとするか撥水化のプラズマと
するかの切り替えの他に、プラズマ照射のオン／オフの切り替えも行うことができる。特に、プラズマ照射機構２０が、複数の部分プラズマ照射部２７から構成される場合、一部の部分プラズマ照射部２７からプラズマを照射しないようにすることで、原料ガスの使用量を節約したり、メディア２の必要以上の親水化や撥水化を抑制することができる場合がある。
【００５７】
１．３．３．専用プラズマ照射部
プラズマ照射部が複数の部分プラズマ照射部２７から構成される場合であって、プラズマ照射部の＋Ｙ方向の端に位置する部分プラズマ照射部２７の全部が、ヘッド４０のノズル４１の＋Ｙ方向の端よりも＋Ｙ方向に外れて設けられる場合には、当該部分プラズマ照射部２７は、撥水化プラズマのみを照射する撥水化専用部分プラズマ照射部２７ａ（図６（ｂ）、（ｄ）参照）としてもよい。
【００５８】
他方、プラズマ照射部が複数の部分プラズマ照射部２７から構成される場合であって、プラズマ照射部の＋Ｙ方向の端に位置する部分プラズマ照射部２７がヘッド４０のノズル４１の＋Ｙ方向の端よりも＋Ｙ方向に外れて設けられ、撥水化専用部分プラズマ照射部２７ａとなる場合には、他の部分プラズマ照射部２７は、親水化プラズマのみを照射する親水化専用部分プラズマ照射部２７ｂとしてもよい（図６（ｂ）、（ｄ）参照）。
【００５９】
このような撥水化専用部分プラズマ照射部２７ａ、及び親水化専用部分プラズマ照射部２７ｂには、切り替え機構６０を用いる必要がないため、例えば、装置の簡略化や小型化が容易となる。なお、撥水化専用部分プラズマ照射部２７ａ、及び親水化専用部分プラズマ照射部２７ｂには、シャッター６５を設けてもよく、例えば、制御部６７によって、プラズマ照射のオン／オフ等を制御されてもよい。
【００６０】
１．４．ヘッド
ヘッド４０は、メディア２の表面にインクの液滴を付着させて、画像を形成する手段である。ヘッド４０は、インクを吐出する複数のノズル４１により構成されるノズル列を複数備える。１つのノズル列は、キャリッジの移動方向（Ｘ方向）と交差する方向（Ｙ方向）に並べられた複数のノズル４１によって構成される。複数のノズル列は、キャリッジの移動方向（Ｘ方向）に並べて配置される。例えば、１つのノズル列からは同一組成のインクが吐出される。
【００６１】
インクをヘッド４０のノズル４１から吐出させる方式は、例えば以下のものが挙げられる。具体的には、ノズルとノズルの前方に置いた加速電極の間に強電界を印加し、ノズルから液滴状のインクを連続的に吐出させ、インクの液滴が偏向電極間を飛翔する間に記録情報信号を偏向電極に与えて記録する方式又はインクの液滴を偏向することなく記録情報信号に対応して吐出させる方式（静電吸引方式）、小型ポンプでインクに圧力を加え、ノズルを水晶振動子等で機械的に振動させることにより、強制的にインクの液滴を吐出させる方式、インクに圧電素子で圧力と記録情報信号を同時に加え、インクの液滴を吐出・記録させる方式（ピエゾ方式）、インクを記録情報信号にしたがって微小電極で加熱発泡させ、インクの液滴を吐出・記録させる方式（サーマルジェット方式）等が挙げられる。
【００６２】
ヘッド４０は、いわゆるシリアル型の記録ヘッドである。シリアル型の記録ヘッドは、記録ヘッドをメディアの搬送方向に対して交差する方向（Ｘ方向）に移動させつつインクを噴射させる走査（パス）を、複数回行うことによって画像の印刷を行うものである。このように、本実施形態に係るインクジェット記録装置１は、いわゆるシリアルプリンターである。
【００６３】
１．５．キャリッジにおける各構成の配置
図６は、本実施形態のインクジェット記録装置１のキャリッジ３０におけるヘッド４０及びプラズマ照射機構２０の配置について、幾つかの例を示す模式図である。
【００６４】
本実施形態のインクジェット記録装置１のキャリッジ３０には、図６（ａ）に示すように、ノズル４１の列の長さ方向（Ｙ方向）の全体をカバーするように、第１プラズマ照射部２１ａ及び第２プラズマ照射部２１ｂが配置されてもよい。図６（ａ）の例では、第１プラズマ照射部２１ａ及び第２プラズマ照射部２１ｂは、それぞれ２つの部分プラズマ照射部２７によって構成されている。このように配置することで、印刷を２パスで行う際に、メディア２の親水化、印刷、及びメディア２の撥水化を効率よく行うことができる（詳細は後述する。）。また、第１プラズマ照射部２１ａ及び第２プラズマ照射部２１ｂをそれぞれ１つのプラズマ照射部から構成する場合には、当該プラズマ照射部は、ライン型としてもよい。また、第１プラズマ照射部２１ａ及び第２プラズマ照射部２１ｂを複数の部分プラズマ照射部２７から構成する場合にも、各部分プラズマ照射部２７はライン型であってもよい。
【００６５】
本実施形態のインクジェット記録装置１のキャリッジ３０には、図６（ｂ）に示すように、ノズル４１の列の長さ方向（Ｙ方向）の長さよりも長い第１プラズマ照射部２１ａ、及び第２プラズマ照射部２１ｂが配置されてもよい。この場合、図６（ｂ）に示すように、第１プラズマ照射部２１ａ及び第２プラズマ照射部２１ｂの、ノズル列よりも長い部分が、＋Ｙ方向に延びるように配置されることが好ましい。また、図６（ｂ）の例では、第１プラズマ照射部２１ａ及び第２プラズマ照射部２１ｂは、それぞれ３つの部分プラズマ照射部２７によって構成されている。そして、第１プラズマ照射部２１ａ及び第２プラズマ照射部２１ｂのそれぞれのノズル列のＹ方向の範囲は、２つの部分プラズマ照射部２７によってカバーされ、残りの１つの部分プラズマ照射部２７は、ノズル列のＹ方向の長さに対応する範囲に対して、ほとんどプラズマを照射しないように配置されている。これにより、例えば、ノズル列のＹ方向の範囲から外れた位置にある部分プラズマ照射部２７から撥水化プラズマが照射される場合でも、ヘッド４０によって印刷される前にメディア２が撥水化されにくいため、よりインクの濡れ性の高い状態でインクをメディア２に付与することができる。なお、図６（ｂ）の例では、ノズル列のＹ方向の範囲から外れた位置にある部分プラズマ照射部２７を、撥水化専用部分プラズマ照射部２７ａとし、ノズル列のＹ方向の範囲内にある部分プラズマ照射部２７を、親水化専用部分プラズマ照射部２７ｂとすることができる。
【００６６】
本実施形態のインクジェット記録装置１のキャリッジ３０には、図６（ｃ）に示すように、ノズル４１の列の長さ方向（Ｙ方向）をカバーするように、第１プラズマ照射部２１ａ、及び第２プラズマ照射部２１ｂが配置されてもよい。図６（ｃ）の例では、第１プラズマ照射部２１ａ及び第２プラズマ照射部２１ｂは、それぞれ４つの部分プラズマ照射部２７によって構成されている。このように配置することで、印刷を４パスで行う際に、メディア２の親水化、印刷、及びメディア２の撥水化を効率よく行うことができる（詳細は後述する。）。
【００６７】
本実施形態のインクジェット記録装置１のキャリッジ３０には、図６（ｄ）に示すように、ノズル４１の列の長さ方向（Ｙ方向）の長さよりも長い第１プラズマ照射部２１ａ、及び第２プラズマ照射部２１ｂが配置されてもよい。この場合、図６（ｄ）に示すように、第１プラズマ照射部２１ａ及び第２プラズマ照射部２１ｂの、ノズル列よりも長い部分が、＋Ｙ方向に延びるように配置されることが好ましい。また、図６（ｄ）の例では、第１プラズマ照射部２１ａ及び第２プラズマ照射部２１ｂは、それぞれ５つの部分プラズマ照射部２７によって構成されている。そして、第１プラズマ照射部２１ａ及び第２プラズマ照射部２１ｂのそれぞれのノズル列のＹ方向の範囲は、４つの部分プラズマ照射部２７によってカバーされ、残りの１つの部分プラズマ照射部２７は、ノズル列のＹ方向の範囲
に対して、ほとんどプラズマを照射しないように配置されている。これにより、例えば、ノズル列のＹ方向の範囲から外れた位置にある部分プラズマ照射部２７から撥水化プラズマが照射される場合でも、印刷される前にメディア２が撥水化されにくいため、よりインクの濡れ性の高い状態でインクをメディア２に付与することができる。なお、図６（ｄ）の例では、ノズル列のＹ方向の範囲から外れた位置にある部分プラズマ照射部２７を、撥水化専用部分プラズマ照射部２７ａとし、ノズル列のＹ方向の範囲内にある部分プラズマ照射部２７を、親水化専用部分プラズマ照射部２７ｂとすることができる。
【００６８】
本実施形態のインクジェット記録装置１のキャリッジ３０には、図６（ｅ）に示すように、ノズル４１の列の長さ方向（Ｙ方向）をカバーするように、第１プラズマ照射部２１ａ、及び第２プラズマ照射部２１ｂが配置されてもよい。図６（ｅ）の例では、第１プラズマ照射部２１ａ及び第２プラズマ照射部２１ｂは、それぞれ２つの部分プラズマ照射部２７によって構成されている。図６（ｅ）の例では、部分プラズマ照射部２７は、プラズマ照射口２５の形状が長方形であり、ライン型となっている。このように配置することで、印刷を２パスで行う際に、メディア２の親水化、印刷、及びメディア２の撥水化を効率よく行うことができる（詳細は後述する。）。
【００６９】
このように、本実施形態のインクジェット記録装置１のキャリッジ３０におけるヘッド４０及びプラズマ照射機構２０の配置は、印刷時のパス数に応じて適宜に設計できる。
【００７０】
１．６．その他の構成
本実施形態に係るインクジェット記録装置１は、当該インクジェット記録装置全体の動作を制御する制御手段（図示せず）を有している。制御手段は、インクジェット記録装置１の任意の位置に設けられ、例えばＰＣやタッチパネル等の入力手段から入力された情報に基づいて、各手段の動作を制御する。また、係る制御手段は、キャリッジ３０の動作、搬送機構１０の動作、ヘッド４０からのインクの吐出タイミング、切り替え機構６０の動作等を含めて制御してもよい。
【００７１】
本実施形態のインクジェット記録装置１は、上記の構成の他に種々の構成を備えることができる。例えば、図示はしないが、メディア２の搬送方向におけるキャリッジ３０の後方（キャリッジ３０に対して＋Ｙ方向側）に、インクの溶媒を乾燥させるための乾燥機構が設けられていてもよい。乾燥機構は、例えば、ヒータや送風機構が挙げられる。
【００７２】
また、本実施形態のインクジェット記録装置１で用いるインクの種類は、特に限定されないため、インクジェット記録装置１は、用いるインクの種類に応じて各種の付加的な機構を備えることができる。例えば、インクが紫外線硬化型インクの場合には、メディア２の搬送方向におけるキャリッジ３０の後方（キャリッジ３０に対して＋Ｙ方向側）に、紫外線照射機構を設けてもよい。また、メディア２が布帛の場合には、メディア２の搬送方向におけるキャリッジ３０の前方（キャリッジ３０に対して−Ｙ方向側）にインクを布帛に定着させるための前処理液を塗布する機構等が設けられていてもよい。このように、メディア２やインクの種類によって、キャリッジ以外の種々の付加機構が備えられる。
【００７３】
１．７．インク
本実施形態のインクジェット記録装置１にて使用するインクの組成は特に限定されないが、以下に、インクに含まれるか、又は含まれ得る添加剤（成分）を説明する。
【００７４】
インクは、水系のインクであっても溶剤系のインクであってもよい。水系のインクを用いる場合には、親水化プラズマの効果、及び、撥水化プラズマの効果を顕著に得ることができる。また、溶剤系のインクは、印刷時にメディア２の表面を比較的濡れ拡がりやすいが、メディア２の表面が親水化プラズマにより処理されることにより、より強固に定着さ
れる場合がある。さらに、溶剤系のインクの場合でも、印刷後に撥水化プラズマ（撥液化プラズマ）が照射されることで、印刷物の耐水性、耐油性を向上させることができる。したがって、本実施形態のインクジェット記録装置１は、水系のインクを用いる場合には、インクの埋まり性を向上させ、印刷後のインクの耐水性を高めることができ、溶剤系のインクを用いる場合には、インクの埋まり性を向上させ、印刷後のインクの耐油性（耐液性）を高めることができる。
【００７５】
１．７．１．色材
インクは、色材を含んでもよい。色材は、顔料及び染料から選択される。
【００７６】
（顔料）
色材として顔料を用いることにより、インクの耐光性を向上させることができる。顔料は、無機顔料及び有機顔料のいずれも使用することができる。無機顔料としては、特に限定されないが、例えば、カーボンブラック、酸化鉄、酸化チタン、及び酸化シリカが挙げられる。無機顔料は、１種単独で用いてもよく、２種以上を組み合わせて用いてもよい。有機顔料としては、特に限定されないが、例えば、キナクリドン系顔料、キナクリドンキノン系顔料、ジオキサジン系顔料、フタロシアニン系顔料、アントラピリミジン系顔料、アンサンスロン系顔料、インダンスロン系顔料、フラバンスロン系顔料、ペリレン系顔料、ジケトピロロピロール系顔料、ペリノン系顔料、キノフタロン系顔料、アントラキノン系顔料、チオインジゴ系顔料、ベンツイミダゾロン系顔料、イソインドリノン系顔料、アゾメチン系顔料、及びアゾ系顔料が挙げられる。
【００７７】
（染料）
色材として染料を用いてもよい。染料としては、特に限定されることなく、酸性染料、直接染料、反応性染料、及び塩基性染料が使用可能である。
【００７８】
色材の含有量は、インクの総質量（１００質量％）に対して、０．４〜１２質量％であると好ましく、２〜５質量％であるとより好ましい。
【００７９】
１．７．２．樹脂
インクは、樹脂を含有してもよい。インクが樹脂を含有することにより、メディア上に樹脂被膜が形成され、結果としてインクをメディア上に十分定着させて、主に画像の耐擦性を良好にする効果を発揮する。
【００８０】
樹脂は、アニオン性、ノニオン性、又はカチオン性のいずれであってもよい。これらの中でも、ヘッドに適した材質という観点から、ノニオン性又はアニオン性が好ましい。樹脂は、１種単独で用いてもよく、２種以上を組み合わせて用いてもよい。
【００８１】
また、上記インクに含有させてもよい樹脂としては、例えば、樹脂分散剤、樹脂エマルジョン、及びワックス等が挙げられる。
【００８２】
１．７．３．樹脂分散剤
本実施形態のインクに上記の顔料を含有させる際、顔料が水中で安定的に分散保持できるようにするため、当該インクは樹脂分散剤を含むとよい。上記インクが水溶性樹脂や水分散性樹脂などの樹脂分散剤を用いて分散された顔料（以下、「樹脂分散顔料」という。）を含むことにより、インクがメディアに付着したときに、メディアとインクとの間及びインク中の固化物間のうち少なくともいずれかの密着性を良好なものとすることができる。樹脂分散剤の中でも分散安定性に優れるため、水溶性樹脂が好ましい。樹脂分散剤は、１種単独で用いてもよく、２種以上を組み合わせて用いてもよい。
【００８３】
樹脂の中でも樹脂分散剤の顔料に対する添加量は、顔料１００質量部に対して好ましくは１質量部〜１００質量部であり、より好ましくは５質量部〜５０質量部である。添加量が上記範囲内であると、顔料の水中への良好な分散安定性が確保できる。
【００８４】
１．７．４．樹脂エマルジョン
インクは、樹脂エマルジョンを含んでもよい。樹脂エマルジョンは、樹脂被膜を形成することで、インクをメディア上に十分定着させて画像の密着性、耐擦性を良好にする効果を発揮する。
【００８５】
また、バインダーとして機能する樹脂エマルジョンはインク中にエマルジョン状態で含有される。バインダーとして機能する樹脂をエマルジョン状態でインク中に含有させることにより、インクの粘度をインクジェット記録方式において適正な範囲に調整しやすく、かつ、インクの保存安定性及び吐出安定性に優れたものとなる。
【００８６】
樹脂エマルジョンとしては、以下に限定されないが、例えば、（メタ）アクリル酸、（メタ）アクリル酸エステル、アクリロニトリル、シアノアクリレート、アクリルアミド、オレフィン、スチレン、酢酸ビニル、塩化ビニル、ビニルアルコール、ビニルエーテル、ビニルピロリドン、ビニルピリジン、ビニルカルバゾール、ビニルイミダゾール、及び塩化ビニリデンの単独重合体又は共重合体、フッ素樹脂、及び天然樹脂が挙げられる。中でも、（メタ）アクリル系樹脂及びスチレン−（メタ）アクリル酸共重合体系樹脂のうち少なくともいずれかが好ましく、アクリル系樹脂及びスチレン−アクリル酸共重合体系樹脂のうち少なくともいずれかがより好ましく、スチレン−アクリル酸共重合体系樹脂がさらに好ましい。なお、上記の共重合体は、ランダム共重合体、ブロック共重合体、交互共重合体、及びグラフト共重合体のうちいずれの形態であってもよい。
【００８７】
樹脂エマルジョンは、市販品を用いてもよく、以下のように乳化重合法などを利用して作製してもよい。インク中の熱可塑性樹脂をエマルジョンの状態で得る方法としては、重合触媒及び乳化剤を存在させた水中で、上述した水溶性樹脂の単量体を乳化重合させることが挙げられる。乳化重合の際に使用される重合開始剤、乳化剤、及び分子量調整剤は従来公知の方法に準じて使用できる。
【００８８】
樹脂エマルジョンの平均粒子径は、インクの保存安定性及び吐出安定性を一層良好にするため、好ましくは５ｎｍ〜４００ｎｍの範囲であり、より好ましくは２０ｎｍ〜３００ｎｍの範囲である。
【００８９】
本明細書における平均粒子径とは、特に断りがない限りは体積基準の平均粒子径である。測定方法としては、レーザー回折式粒度分布測定装置を用いて回折散乱光の光強度分布パターンを検出し、その光強度分布パターンをＭｉｅ散乱理論に基づいて計算することにより体積基準の粒度分布を求められる。その粒度分布から算出された体積平均粒子径は算出可能である。このようなレーザー回折式粒度分布測定装置としては、例えば、マイクロトラックＵＰＡ（日機装株式会社製）が挙げられる。
【００９０】
樹脂エマルジョンは、１種単独で用いてもよく、２種以上を組み合わせて用いてもよい。樹脂の中でも樹脂エマルジョンの含有量は、インクの総質量（１００質量％）に対して、０．５〜７質量％の範囲であることが好ましい。含有量が上記範囲内であると、固形分濃度を低くすることができるため、吐出安定性を一層良好にすることができる。
【００９１】
１．７．５．界面活性剤
インクは、界面活性剤を含んでもよい。界面活性剤としては、特に限定されないが、例えば、アセチレングリコール系界面活性剤、フッ素系界面活性剤、及びシリコーン系界面
活性剤が挙げられる。インクがこれらの界面活性剤を含むことにより、インクの保存安定性及び吐出安定性が一層良好となり、かつ、高速印刷が可能となる。界面活性剤は、１種単独で用いてもよく、２種以上を混合して用いてもよい。
【００９２】
界面活性剤の含有量は、インクの保存安定性及び吐出安定性が一層良好なものとなるため、インクの総質量（１００質量％）に対して、０．１質量％以上３質量％以下の範囲であることが好ましい。
【００９３】
１．７．６．水
インクは、水を含有してもよい。特に、当該インクが水性インクである場合、水は、インクの主となる媒体であり、インクジェット記録においてメディアが加熱される際、蒸発飛散する成分となる。
【００９４】
水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加などによって滅菌した水を用いると、顔料分散液及びこれを用いたインクを長期保存する場合にカビやバクテリアの発生を防止することができる。水の含有量は特に制限されず、必要に応じて適宜決定すればよい。
【００９５】
１．７．７．有機溶剤
インクは、有機溶剤を含んでいてもよい。有機溶剤としては、以下に限定されないが、例えば、グリセリン、エチレングリコール、ジエチレングリコール、トリエチレングリコール、プロピレングリコール、ジプロピレングリコール、１，３−プロパンジオール、１，２−ブタンジオール、１，２−ペンタンジオール、１，２−ヘキサンジオール、１，４−ブタンジオール、１，５−ペンタンジオール、１，６−ヘキサンジオール、ジエチレングリコールモノ−ｎ−プロピルエーテル、エチレングリコールモノ−ｉｓｏ−プロピルエーテル、ジエチレングリコールモノ−ｉｓｏ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、プロピレングリコールモノメチルエーテル、プロピレングリコールモノエチルエーテル、プロピレングリコールモノ−ｔ−ブチルエーテル、プロピレングリコールモノ−ｎ−プロピルエーテル、プロピレングリコールモノ−ｉｓｏ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、ジプロピレングリコールモノ−ｉｓｏ−プロピルエーテル、ジエチレングリコールジメチルエーテル、ジエチレングリコールジエチルエーテル、ジエチレングリコールジブチルエーテル、ジエチレングリコールエチルメチルエーテル、ジエチレングリコールブチルメチルエーテル、トリエチレングリコールジメチルエーテル、テトラエチレングリコールジメチルエーテル、ジプロピレングリコールジメチルエーテル、ジプロピレングリコールジエチルエーテル、トリプロピレングリコールジメチルエーテル、メタノール、エタノール、ｎ−プロピルアルコール、ｉｓｏ−プロピルアルコール、ｎ−ブタノール、２−ブタノール、ｔｅｒｔ−ブタノール、ｉｓｏ−ブタノール、ｎ−ペンタノール、２−ペンタノール、３−ペンタノール、及びｔｅｒｔ−ペンタノール等のアルコール類あるいはグリコール類、Ｎ，Ｎ−ジメチルホルムアミド、Ｎ，Ｎ−ジメチルアセトアミド、２−ピロリドン、Ｎ−メチル−２−ピロリドン、２−オキサゾリドン、１，３−ジメチル−２−イミダゾリジノン、ジメチルスルホキシド、スルホラン、及び１，１，３，３−テトラメチル尿素が挙げられる。有機溶剤は、１種単独で用いてもよく、２種以上を組み合わせて用いてもよい。有機溶剤の含有量は特に制限されず、必要に応じて適宜決定すればよい。
【００９６】
１．７．８．ｐＨ調整剤
インクは、ｐＨ調整剤を含んでもよい。ｐＨ調整剤として、例えば、水酸化ナトリウム、水酸化カリウム等の無機アルカリ、アンモニア、ジエタノールアミン、トリエタノールアミン、トリイソプロパノールアミン、モルホリン、リン酸二水素カリウム、及びリン酸水素二ナトリウムが挙げられる。ｐＨ調整剤は、１種単独で用いてもよく、２種以上を組み合わせて用いてもよい。ｐＨ調整剤の含有量は特に制限されず、必要に応じて適宜決定すればよい。
【００９７】
１．７．９．その他の成分
インクは、上記の成分に加えて、溶解助剤、粘度調整剤、酸化防止剤、防腐剤、防黴剤、消泡剤、腐食防止剤などの、種々の添加剤を適宜添加することもできる。また、インクが紫外線硬化型インクである場合には、例えば、重合性化合物、光重合開始剤を含む。
【００９８】
１．７．１０．インクの製造方法
インクは、上述の成分（材料）を任意の順序で混合し、必要に応じて濾過などを行い、不純物を除去することにより得ることができる。ここで、顔料は、あらかじめ溶媒中に均一に分散させた状態に調製してから混合することが、取り扱いが簡便になるため好ましい。各材料の混合方法としては、メカニカルスターラーやマグネチックスターラー等の撹拌装置を備えた容器に順次材料を添加して撹拌混合する方法が好適に用いられる。濾過方法として、例えば、遠心濾過やフィルター濾過などを必要に応じて行うことができる。
【００９９】
１．８．メディア
メディア（被記録媒体）としては、例えば、吸収性又は非吸収性のメディアが挙げられる。特に、本発明は、インクの浸透が困難な非吸収性メディアから、インクの浸透が容易な吸収性メディアまで、様々な吸収性能を持つメディアに幅広く適用できる。
【０１００】
吸収性メディアとしては、特に限定されないが、特に布帛のような高い吸収性のメディアであることが好ましい。布帛としては、以下に限定されないが、例えば、絹、綿、羊毛、ナイロン、ポリエステル、及びレーヨン等の天然繊維又は合成繊維が挙げられる。
【０１０１】
非吸収性メディアとしては、特に限定されないが、例えば、ポリ塩化ビニル、ポリエチレン、ポリプロピレン、ポリエチレンテレフタレート（ＰＥＴ）等のプラスチック類のフィルムやプレート、鉄、銀、銅、アルミニウム等の金属類のプレート、又はそれら各種金属を蒸着により製造した金属プレートやプラスチック製のフィルム、ステンレスや真鋳等の合金のプレート等が挙げられる。また、非吸収性メディアとしては、シリカ粒子やアルミナ粒子から構成されたインク吸収層、あるいは、ポリビニルアルコール（ＰＶＡ）やポリビニルピロリドン（ＰＶＰ）等の親水性ポリマーから構成されたインク吸収層が形成されていないものが好ましい。
【０１０２】
１．９．インクジェット記録装置の動作
本実施形態のインクジェット記録装置１は、上述の構成を有し、例えば、以下のように動作する。図７〜図１１は、インクジェット記録装置１の印刷動作のシーケンスの例を、模式的に示す図である。図７〜図１１では、説明の簡略のため、方位矢印で示すように、メディア２及びキャリッジ３０を、−Ｚ方向に向かって見た状態を示している。したがって、各図の下段に示す第１プラズマ照射部２１ａ、第２プラズマ照射部２１ｂ、及びヘッド４０は、底面からではなく上面から透過したように仮想的に描かれている。
【０１０３】
また、本明細書では、「印刷が完了する」との文言を用いているが、係る文言は、パス数に無関係に、最後のパスにおけるヘッド４０による印刷が完了したことを指している。
【０１０４】
１．９．１．  １パス印刷
図７は、１パス印刷による記録のシーケンスを示している。１パス印刷とは、メディア２の特定の部位Ｐの上を、キャリッジ３０が一度だけ通過して印刷を行う印刷モードのことをいう。すなわち、図７中、１ｐａｓｓ目の欄は、メディア２の部位Ｐ１上をキャリッジ３０が＋Ｘ方向に通過した状態を示している。また、２ｐａｓｓ目の欄は、メディア２の部位Ｐ１上をキャリッジ３０が−Ｘ方向に通過した状態を示している。すなわち、１ｐａｓｓ目と２ｐａｓｓ目との間で、メディア２が＋Ｙ方向に搬送され、キャリッジ３０が通過する部位が移動されている。１パス目と２パス目の間のメディア２の移動距離は、ヘッド４０のノズルの列のＹ方向の長さと対応するため、メディア２上の各部位における印刷は、キャリッジ３０が１度通過したら完了する。そのため、このような印刷の態様を、本明細書では１パス印刷と称する。
【０１０５】
図７に示すように、メディア２の部位のうち、奇数番号が付された部位（Ｐ１，Ｐ３・・・）は、いずれも、キャリッジ３０が＋Ｘ方向に移動し、第１プラズマ照射部２１ａ、ヘッド４０、第２プラズマ照射部２１ｂの順で当該部位を通過する（図７の１ｐａｓｓ目欄参照）。他方、メディア２の部位のうち、偶数番号が付された部位（Ｐ２，Ｐ４・・・）は、いずれも、キャリッジ３０が−Ｘ方向に移動し、第２プラズマ照射部２１ｂ、ヘッド４０、第１プラズマ照射部２１ａの順で当該部位を通過する（図７の２ｐａｓｓ目欄参照）。
【０１０６】
すなわち、メディア２内の部位Ｐに対してインクが吐出される前に、ヘッド４０に対してキャリッジ３０の進行方向の前方に位置する側の、第１プラズマ照射部２１ａ又は第２プラズマ照射部２１ｂから、部位Ｐに対して、部位Ｐを親水化するプラズマが照射され、親水化するプラズマが照射された部位Ｐに対して、インクを吐出することによって印刷を行い、部位Ｐに対する印刷が完了した後に、ヘッド４０に対してキャリッジ３０の進行方向の後方に位置する側の第１プラズマ照射部２１ａ又は第２プラズマ照射部２１ｂから部位Ｐに対して部位Ｐを撥水化するプラズマが照射される。
【０１０７】
また、メディア２内の部位Ｐに対して印刷を行う際に、キャリッジ３０が＋Ｘ方向に移動するときは、第１プラズマ照射部２１ａから、部位Ｐに対して、部位Ｐを親水化するプラズマが照射され、第２プラズマ照射部２１ｂから、部位Ｐに対して、部位Ｐを撥水化するプラズマが照射され、メディア２内の部位Ｐに対して印刷を行う際に、キャリッジ３０が−Ｘ方向に移動するときは、第２プラズマ照射部２１ｂから、部位Ｐに対して、部位Ｐを親水化するプラズマが照射され、第１プラズマ照射部２１ａから、部位Ｐに対して、部位Ｐを撥水化するプラズマが照射される。
【０１０８】
図７に示すシーケンスを実行する場合には、第１プラズマ照射部２１ａ及び第２プラズマ照射部２１ｂは、いずれも切り替え機構６０を備えており、メディア２のすべての部位に対して、親水化プラズマを照射した後、印刷が行われ、印刷が完了した後、撥水化プラズマが照射されて、印刷物が完成する。
【０１０９】
図７に示すシーケンスは、図６に示すキャリッジ３０の態様の（ａ）〜（ｅ）のいずれであっても実行することができる。また、図６（ａ）、（ｃ）又は（ｅ）の態様であれば、プラズマ照射機構２０は、スポット型でもライン型でも適用することができる。なお、図６（ｂ）及び（ｄ）の態様では、プラズマ照射機構２０は、スポット型とし、＋Ｙ方向に外れて配置された部分プラズマ照射部２７について、撥水化専用部分プラズマ照射部２７ａとすることにより、図７に示すシーケンスを実行することができる。
【０１１０】
なお、印刷時にメディア２の表面が親水化され、印刷が完了した後にメディア２の表面が撥水化されることができれば、十分に効果を得ることができるため、印刷前に複数回親
水化プラズマが照射されてもよいし、印刷が完了した後に、複数回撥水化プラズマが照射されても効果が損なわれることはほとんどない。
【０１１１】
また、メディア２の各部位ともに、印刷時のキャリッジ３０の移動方向を、例えば、＋Ｘ方向のみとすることも可能であり、その場合には、切り替え機構６０は不要となる。しかし、上記のようにキャリッジ３０の往路及び復路ともに印刷するほうが印刷に要する時間を短縮しやすく効率がよい。
【０１１２】
１．９．２．  複数パス印刷
（２パス印刷）
図８は、２パス印刷による記録のシーケンスを示している。２パス印刷とは、メディア２の特定の部位Ｐの上を、キャリッジ３０が２度だけ通過して印刷を行う印刷モードのことをいう。すなわち、図８中、１ｐａｓｓ目の欄は、メディア２の部位Ｐ１上をキャリッジ３０が＋Ｘ方向に通過した状態を示しているが、通過時にヘッド４０のノズル４１が配置された領域の−Ｙ方向側に位置する半分（１／２）の領域が部位Ｐ１上を通過する。また、２ｐａｓｓ目の欄は、メディア２の部位Ｐ１及び部位Ｐ２上をキャリッジ３０が−Ｘ方向に通過した状態を示しているが、通過時にヘッド４０のノズル４１が配置された領域の−Ｙ方向側に位置する半分の領域が部位Ｐ２上を通過し、ヘッド４０のノズル４１が配置された領域の残りの半分（＋Ｙ方向側に位置する）の領域が部位Ｐ１上を通過する。すなわち、１ｐａｓｓ目と２ｐａｓｓ目との間で、メディア２が＋Ｙ方向に搬送され、キャリッジ３０が通過する部位が移動されている。また、１パス目と２パス目の間のメディア２の移動距離は、ヘッド４０のノズルの列のＹ方向の長さの半分（１／２）であるため、メディア２上の各部位における印刷は、キャリッジ３０が２度通過したら完了する。そのため、このような印刷の態様を、本明細書では２パス印刷と称する。
【０１１３】
図８に示すように、メディア２の部位のうち、奇数番号が付された部位（Ｐ１，Ｐ３・・・）は、いずれも、キャリッジ３０が−Ｘ方向に移動し、第２プラズマ照射部２１ｂ、ヘッド４０、第１プラズマ照射部２１ａの順で当該部位を通過する際に、印刷が完了し、撥水化プラズマが、第１プラズマ照射部２１ａから照射される（図８の２ｐａｓｓ目、４ｐａｓｓ目欄参照）。他方、メディア２の部位のうち、偶数番号が付された部位（Ｐ２，Ｐ４・・・）は、いずれも、キャリッジ３０が＋Ｘ方向に移動し、第１プラズマ照射部２１ａ、ヘッド４０、第２プラズマ照射部２１ｂの順で当該部位を通過する際に、印刷が完了し、撥水化プラズマが、第２プラズマ照射部２１ｂから照射される（図８の３ｐａｓｓ目、５ｐａｓｓ目欄参照）。
【０１１４】
すなわち、図８のシーケンスにおいても、メディア２内の部位Ｐに対してインクが吐出される前に、ヘッド４０に対してキャリッジ３０の進行方向の前方に位置する側の、第１プラズマ照射部２１ａ又は第２プラズマ照射部２１ｂから、部位Ｐに対して、部位Ｐを親水化するプラズマが照射され、親水化するプラズマが照射された部位Ｐに対して、インクを吐出することによって印刷を行い、部位Ｐに対する印刷が完了した後に、ヘッド４０に対してキャリッジ３０の進行方向の後方に位置する側の第１プラズマ照射部２１ａ又は第２プラズマ照射部２１ｂから部位Ｐに対して部位Ｐを撥水化するプラズマが照射される。
【０１１５】
また、メディア２内の部位Ｐに対して印刷を行う際に、キャリッジ３０が＋Ｘ方向に移動するときは、第１プラズマ照射部２１ａから、部位Ｐに対して、部位Ｐを親水化するプラズマが照射され、第２プラズマ照射部２１ｂから、部位Ｐに対して、部位Ｐを撥水化するプラズマが照射され、メディア２内の部位Ｐに対して印刷を行う際に、キャリッジ３０が−Ｘ方向に移動するときは、第２プラズマ照射部２１ｂから、部位Ｐに対して、部位Ｐを親水化するプラズマが照射され、第１プラズマ照射部２１ａから、部位Ｐに対して、部位Ｐを撥水化するプラズマが照射される。
【０１１６】
図８に示すシーケンスを実行する場合には、少なくとも、Ｙ方向のノズル列の範囲内にある第１プラズマ照射部２１ａの２個の部分プラズマ照射部２７のうち、＋Ｙ方向の側に配置された１つと、Ｙ方向のノズル列の範囲内にある第２プラズマ照射部２１ｂの２個の部分プラズマ照射部２７のうち、＋Ｙ方向の側に配置された１つは、キャリッジ３０の進行方向に応じて、メディア２を親水化するプラズマとメディア２を撥水化するプラズマとを切り替えて照射できるように構成される。これにより、メディア２のすべての部位に対して、親水化プラズマを照射した後、印刷が行われ、印刷が完了した後、撥水化プラズマが照射されて、印刷物が完成する。
【０１１７】
図８に示すシーケンスは、図６に示すキャリッジ３０の態様の（ａ）〜（ｅ）のいずれであっても実行することができる。また、図６（ｂ）及び（ｄ）の態様では、プラズマ照射機構２０は、＋Ｙ方向に外れて配置された部分プラズマ照射部２７について、撥水化専用部分プラズマ照射部２７ａとすることにより、図８に示すシーケンスを実行することができる。したがって、図６（ｂ）及び（ｄ）の態様では、部分プラズマ照射部２７のうち、Ｙ方向におけるノズル列の範囲にある部分プラズマ照射部２７を親水化専用部分プラズマ照射部２７ｂとしてもよい。
【０１１８】
なお、印刷時にメディア２の表面が親水化され、印刷が完了した後にメディア２の表面が撥水化されることができれば、十分に効果を得ることができるため、印刷前に複数回親水化プラズマが照射されてもよいし、印刷が完了した後に、複数回撥水化プラズマが照射されても効果が損なわれることはほとんどない。
【０１１９】
なお、図８に示すシーケンスでは、例えば、２〜５ｐａｓｓ目欄において、プラズマ照射部２１の−Ｙ方向に配置された部分プラズマ照射部２７のうち、ヘッド４０のキャリッジ３０の進行方向の後方に位置するものは、プラズマの照射を行わないように描かれているが、必要に応じて、当該部分プラズマ照射部２７から、親水化プラズマを照射してもよい。
【０１２０】
（４パス印刷）
図９は、４パス印刷による記録のシーケンスを示している。４パス印刷とは、メディア２の特定の部位Ｐの上を、キャリッジ３０が４度だけ通過して印刷を行う印刷モードのことをいう。すなわち、図９中、１ｐａｓｓ目の欄は、メディア２の部位Ｐ１上をキャリッジ３０が＋Ｘ方向に通過した状態を示しているが、通過時にヘッド４０のノズル４１が配置された領域の−Ｙ方向の端に位置する１／４の領域が部位Ｐ１上を通過する。また、２ｐａｓｓ目の欄は、メディア２の部位Ｐ１及びＰ２上をキャリッジ３０が−Ｘ方向に通過した状態を示しているが、通過時にヘッド４０のノズル４１が配置された領域の、−Ｙ方向の端から２番目に位置する１／４の領域が部位Ｐ２上を通過し、ヘッド４０のノズル４１が配置された領域の−Ｙ方向の端に位置する１／４の領域が部位Ｐ１上を通過する。すなわち、１ｐａｓｓ目と２ｐａｓｓ目との間で、メディア２が＋Ｙ方向に、ノズル列の１／４の長さ搬送され、キャリッジ３０が通過する部位が移動されている。
【０１２１】
３ｐａｓｓ目の欄は、メディア２の部位Ｐ１〜Ｐ３上をキャリッジ３０が＋Ｘ方向に通過した状態を示しているが、通過時にヘッド４０のノズル４１が配置された領域の、−Ｙ方向の端から３番目に位置する１／４の領域が部位Ｐ３上を通過し、ヘッド４０のノズル４１が配置された領域の−Ｙ方向の端から２番目に位置する１／４の領域が部位Ｐ２上を通過し、ヘッド４０のノズル４１が配置された領域の−Ｙ方向の端に位置する１／４の領域が部位Ｐ１上を通過する。すなわち、２ｐａｓｓ目と３ｐａｓｓ目との間で、メディア２が＋Ｙ方向に、ノズル列の１／４の長さ搬送され、キャリッジ３０が通過する部位が移動されている。
【０１２２】
同様に、４ｐａｓｓ目の欄は、メディア２の部位Ｐ１〜Ｐ４上をキャリッジ３０が−Ｘ方向に通過した状態を示しているが、通過時にヘッド４０のノズル４１が配置された領域の、＋Ｙ方向の端（−Ｙ方向の端から４番目）に位置する１／４の領域が部位Ｐ４上を通過し、ヘッド４０のノズル４１が配置された領域の−Ｙ方向の端から３番目に位置する１／４の領域が部位Ｐ３上を通過し、ヘッド４０のノズル４１が配置された領域の−Ｙ方向の端から２番目に位置する１／４の領域が部位Ｐ２上を通過し、ヘッド４０のノズル４１が配置された領域の−Ｙ方向の端に位置する１／４の領域が部位Ｐ１上を通過する。すなわち、３ｐａｓｓ目と４ｐａｓｓ目との間で、メディア２が＋Ｙ方向に、ノズル列の１／４の長さ搬送され、キャリッジ３０が通過する部位が移動されている。
【０１２３】
また、各パスの間のメディア２の移動距離は、ヘッド４０のノズルの列のＹ方向の長さの１／４であるため、メディア２上の各部位における印刷は、キャリッジ３０が４度通過したら完了する。そのため、このような印刷の態様を、本明細書では４パス印刷と称する。
【０１２４】
図９に示すように、メディア２の部位のうち、奇数番号が付された部位（Ｐ１，Ｐ３・・・）は、いずれも、キャリッジ３０が−Ｘ方向に移動し、第２プラズマ照射部２１ｂ、ヘッド４０、第１プラズマ照射部２１ａの順で当該部位を通過する際に、印刷が完了し、撥水化プラズマが、第１プラズマ照射部２１ａから照射される（図９の４ｐａｓｓ目欄参照）。他方、メディア２の部位のうち、偶数番号が付された部位（Ｐ２，Ｐ４・・・）は、いずれも、キャリッジ３０が＋Ｘ方向に移動し、第１プラズマ照射部２１ａ、ヘッド４０、第２プラズマ照射部２１ｂの順で当該部位を通過する際に、印刷が完了し、撥水化プラズマが、第２プラズマ照射部２１ｂから照射される（図９の５ｐａｓｓ目欄参照）。
【０１２５】
すなわち、図９のシーケンスにおいても、メディア２内の部位Ｐに対してインクが吐出される前に、ヘッド４０に対してキャリッジ３０の進行方向の前方に位置する側の、第１プラズマ照射部２１ａ又は第２プラズマ照射部２１ｂから、部位Ｐに対して、部位Ｐを親水化するプラズマが照射され、親水化するプラズマが照射された部位Ｐに対して、インクを吐出することによって印刷を行い、部位Ｐに対する印刷が完了した後に、ヘッド４０に対してキャリッジ３０の進行方向の後方に位置する側の第１プラズマ照射部２１ａ又は第２プラズマ照射部２１ｂから部位Ｐに対して部位Ｐを撥水化するプラズマが照射される。
【０１２６】
また、メディア２内の部位Ｐに対して印刷を行う際に、キャリッジ３０が＋Ｘ方向に移動するときは、第１プラズマ照射部２１ａから、部位Ｐに対して、部位Ｐを親水化するプラズマが照射され、第２プラズマ照射部２１ｂから、部位Ｐに対して、部位Ｐを撥水化するプラズマが照射され、メディア２内の部位Ｐに対して印刷を行う際に、キャリッジ３０が−Ｘ方向に移動するときは、第２プラズマ照射部２１ｂから、部位Ｐに対して、部位Ｐを親水化するプラズマが照射され、第１プラズマ照射部２１ａから、部位Ｐに対して、部位Ｐを撥水化するプラズマが照射される。
【０１２７】
図９に示すシーケンスを実行する場合には、少なくとも、Ｙ方向のノズル列の範囲内にある第１プラズマ照射部２１ａの４個の部分プラズマ照射部２７のうち、最も＋Ｙ方向の側に配置された１つと、Ｙ方向のノズル列の範囲内にある第２プラズマ照射部２１ｂの４個の前記部分プラズマ照射部２７のうち、＋Ｙ方向の側に配置された１つは、キャリッジ３０の進行方向に応じて、メディア２を親水化するプラズマとメディア２を撥水化するプラズマとを切り替えて照射できるように構成される。これにより、メディア２のすべての部位に対して、親水化プラズマを照射した後、印刷が行われ、印刷が完了した後、撥水化プラズマが照射されて、印刷物が完成する。
【０１２８】
図９に示すシーケンスは、図６に示すキャリッジ３０の態様の（ａ）〜（ｅ）のいずれであっても実行することができる。また、図６（ｂ）及び（ｄ）の態様では、プラズマ照射機構２０は、＋Ｙ方向に外れて配置された部分プラズマ照射部２７について、撥水化専用部分プラズマ照射部２７ａとすることにより、図９に示すシーケンスを実行することができる。したがって、図６（ｂ）及び（ｄ）の態様では、部分プラズマ照射部２７のうち、Ｙ方向におけるノズル列の範囲にある部分プラズマ照射部２７を親水化専用部分プラズマ照射部２７ｂとしてもよい。
【０１２９】
なお、印刷時にメディア２の表面が親水化され、印刷が完了した後にメディア２の表面が撥水化されることができれば、十分に効果を得ることができるため、印刷前に複数回親水化プラズマが照射されてもよいし、印刷が完了した後に、複数回撥水化プラズマが照射されても効果が損なわれることはない。
【０１３０】
したがって、図８に示すシーケンスでは、例えば、２〜５ｐａｓｓ目欄において、プラズマ照射部２１の−Ｙ方向に配置された部分プラズマ照射部２７のうち、ヘッド４０のキャリッジ３０の進行方向の後方に位置するものは、プラズマの照射を行わないように描かれているが、必要に応じて、当該部分プラズマ照射部２７から、親水化プラズマを照射してもよい。
【０１３１】
（ｍパス印刷）
図１０及び図１１は、それぞれ、２パス印刷及び４パス印刷の態様を基にして、ｍパス印刷に拡張した様子を模式的に説明する図である。ｍは、自然数であるが、ｍ＝１については、上述の１パス印刷と同様であるため、説明を省略し、以下では、ｍは、２以上の自然数の場合について説明する。
【０１３２】
図１０は、図８を用いて説明した２パス印刷から、ｍパス印刷（ｍ＝２）について説明する図である。図１０中、ｍ  ｐａｓｓ目の欄は、メディア２の部位Ｐｍ−１及び部位Ｐｍ上をキャリッジ３０が＋Ｘ方向に通過した状態を示しているが、通過時にヘッド４０のノズル４１が配置された領域の−Ｙ方向側に位置する半分（１／ｍ）の領域が部位Ｐｍ上を通過し、＋Ｙ方向側に位置する半分（１／ｍ）の領域が部位Ｐｍ上を通過する。また、ｍ＋１  ｐａｓｓ目の欄は、メディア２の部位Ｐｍ上をキャリッジ３０が−Ｘ方向に通過した状態を示しているが、通過時にヘッド４０のノズル４１が配置された領域の＋Ｙ方向側に位置する半分（１／ｍ）の領域が部位Ｐｍ上を通過する。すなわち、ｍ  ｐａｓｓ目とｍ＋１  ｐａｓｓ目との間で、メディア２が＋Ｙ方向に搬送され、キャリッジ３０が通過する部位が移動されている。また、ｍパス目とｍ＋１パス目の間のメディア２の移動距離は、ヘッド４０のノズルの列のＹ方向の長さの半分（１／ｍ）であるため、メディア２上の各部位における印刷は、キャリッジ３０がｍ回通過したら完了することがわかる。
【０１３３】
同様に、図１１は、図９を用いて説明した４パス印刷から、ｍパス印刷（ｍは４）について説明する図である。図１１中、ｍ  ｐａｓｓ目の欄は、メディア２の部位Ｐｍ−３〜Ｐｍ上をキャリッジ３０が＋Ｘ方向に通過した状態を示しているが、通過時にヘッド４０のノズル４１が配置された領域の＋Ｙ方向側の端に位置する１／ｍの領域が部位Ｐｍ−３上を通過する。また、ｍ＋１  ｐａｓｓ目の欄は、メディア２の部位Ｐｍ−２〜Ｐｍ上をキャリッジ３０が−Ｘ方向に通過した状態を示しているが、通過時にヘッド４０のノズル４１が配置された領域の＋Ｙ方向側の端に位置する半分の領域が部位Ｐｍ−２上を通過する。すなわち、ｍ  ｐａｓｓ目とｍ＋１  ｐａｓｓ目との間で、メディア２が＋Ｙ方向に搬送され、キャリッジ３０が通過する部位が移動されている。また、ｍパス目とｍ＋１パス目の間のメディア２の移動距離は、ヘッド４０のノズルの列のＹ方向の長さの１／ｍであるため、メディア２上の各部位における印刷は、キャリッジ３０がｍ回通過したら完了する。
【０１３４】
以上のように、本実施形態のインクジェット記録装置１は、ｍパス印刷（ｍは自然数）に好適に適用できる。すなわち、本実施形態のインクジェット記録装置１は、キャリッジ３０が、メディア２内の部位Ｐ上をｍ回（ｍは２以上の自然数）通過することで、部位Ｐへの印刷が完了するように構成することができ、第１プラズマ照射部２１ａ及び第２プラズマ照射部２１ｂが、それぞれｍ個の部分プラズマ照射部を有し、ｍ個の部分プラズマ照射部２７が、Ｙ方向に配列され、Ｙ方向のうち、メディア２が送出される方向を＋Ｙ方向としたとき、第１プラズマ照射部２１ａのｍ個の部分プラズマ照射部２７のうち、最も＋Ｙ方向の側に配置された１つと、第２プラズマ照射部２１ｂのｍ個の部分プラズマ照射部２７のうち、最も＋Ｙ方向の側に配置された１つは、キャリッジ３０の進行方向に応じて、メディア２を親水化するプラズマとメディア２を撥水化するプラズマとを切り替えて照射できるように構成されれば、ｍパス印刷（ｍは自然数）に好適に適用できる。
【０１３５】
また、ｍ回目にキャリッジ３０が部位Ｐ上を通過する際に、キャリッジ３０が部位Ｐ上を＋Ｘ方向に移動するときに、第１プラズマ照射部２１ａの部位Ｐに対応する位置に設けられた部分プラズマ照射部２７から、部位Ｐに対して、部位Ｐを親水化するプラズマを照射し、第２プラズマ照射部２１ｂの部位Ｐに対応する位置に設けられた部分プラズマ照射部２７から、部位Ｐに対して、部位Ｐを撥水化するプラズマを照射し、ｍ回目にキャリッジ３０が部位Ｐ上を通過する際に、キャリッジ３０が部位Ｐ上を−Ｘ方向に移動するときに、第２プラズマ照射部２１ｂの部位Ｐに対応する位置に設けられた部分プラズマ照射部２７から、部位Ｐに対して、部位Ｐを親水化するプラズマを照射し、第１プラズマ照射部２１ａの部位Ｐに対応する位置に設けられた部分プラズマ照射部２７から、部位Ｐに対して、部位Ｐを撥水化するプラズマを照射することにより、ｍパス印刷（ｍは自然数）に好適に適用できる。
【０１３６】
さらにキャリッジ３０が、メディア２内の部位Ｐ上をｍ回（ｍは２以上の自然数）通過することで、部位Ｐへの印刷が完了するように構成でき、第１プラズマ照射部２１ａ及び第２プラズマ照射部２１ｂが、それぞれ、部位Ｐを親水化するプラズマを照射するための親水化専用部分プラズマ照射部２７ｂと、部位Ｐを撥水化するプラズマを照射するための撥水化専用部分プラズマ照射部２７ａと、を備え、Ｙ方向のうち、メディア２が送出される方向を＋Ｙ方向としたとき、撥水化専用部分プラズマ照射部２７ａは、親水化専用部分プラズマ照射部２７ｂに対して＋Ｙ方向の側に配置されても、ｍパス印刷（ｍは自然数）に好適に適用できる。
【０１３７】
１．１０．作用効果等
本実施形態のインクジェット記録装置１によれば、親水化プラズマ処理の後、印刷が行われることで、メディアの濡れ性の良好な状態でインクの付与が可能であり、インクの濡れ拡がりによりメディア上でのインクの埋まり性が良好となる。しかも、印刷完了後に、撥水化プラズマ処理が行われることで、印刷後のメディアやインクの表面が疎水化されるため、水分等によるインクの剥がれ等の現象を生じにくい堅牢性の良好な印刷を行うことができる。
【０１３８】
２．印刷方法
本実施形態に係る印刷方法は、上述のインクジェット記録装置１を用いて印刷する印刷方法である。そして、メディア２内の部位Ｐに対してインクが吐出される前に、ヘッド４０に対してキャリッジ３０の進行方向の前方に位置する第１プラズマ照射部２１ａ又は第２プラズマ照射部２１ｂから、部位Ｐに対して、部位Ｐを親水化するプラズマを照射する工程と、親水化するプラズマが照射された部位Ｐに対して、インクを吐出することによって印刷を行う工程と、部位Ｐに対する印刷が完了した後に、第１プラズマ照射部２１ａ又は第２プラズマ照射部２１ｂのうちヘッド４０に対してキャリッジ３０の進行方向の後方
に位置する照射部から部位Ｐに対して部位Ｐを撥水化するプラズマを照射する工程と、を有する。
【０１３９】
各工程については、上記「インクジェット記録装置」の項で述べたとおりであり、詳細な説明を省略する。本実施形態に係る印刷方法によれば、親水化プラズマ処理の後、印刷をすることで、メディアの濡れ性の良好な状態でインクの付与が可能であり、インクの濡れ拡がりによりメディア上でのインクの埋まり性が良好となる。しかも、印刷後に、撥水化プラズマ処理を行うことで、印刷後のメディアやインクの表面が疎水化されるため、水分等によるインクの剥がれ等の現象を生じにくい堅牢性の良好な印刷を行うことができる。
【０１４０】
３．実験例
以下に実験例を示し、本発明をさらに説明するが、本発明は以下の例によってなんら限定されるものではない。
【０１４１】
実験例では、インクジェットプリンター（ＰＸ−Ｈ１００００：セイコーエプソン株式会社）を改造して、ヘッド４０の両側にプラズマ照射機構２０を配置したプリンターを用いた。具体的には、図６（ａ）〜（ｅ）で示したキャリッジ３０内の配置で、スポット型又はライン型のプラズマ照射機構２０を搭載したものをそれぞれ準備した。プラズマ照射部２１からメディア２表面までの距離Ｂを変化させ、メディア２の表面からノズル４１までの距離Ａ及びノズル４１とプラズマ照射口２５との最短距離Ｃは、固定とし、それぞれ３ｍｍ及び５０ｍｍとした。各例で使用したプラズマ照射機構２０の構成、各例のパス数、プラズマ照射条件を表１に記載した。
【０１４２】
また各例で用いたインクの組成、及びメディアは、以下のとおりである。
【０１４３】
（インク）
実験例では、デジタルラベル印刷機ＳｕｒｅＰｒｅｓｓ  Ｌ−４０３３ＡＷ（セイコーエプソン株式会社製）で使用しているインクセットを用いた。
【０１４４】
（メディア）
実験例では、メディアとしてプラスチックフィルム（フタムラ化学社製、商品名「ＦＯＲ−ＢＴ」）を用いた。
【０１４５】
プラズマ照射部からメディア２表面までの距離Ｂ、プラズマ原料のガス種、及びガスの流量の印刷条件を変化させて印刷し、画像を評価した。評価項目及び基準は以下のとおりである。
（埋まり性）
ｄｕｔｙ８０%印刷部を顕微鏡（２００倍）により観察した際に、下地が見える割合でインクの埋まりを判断した。評価基準は、
Ａ：インクにより完全に下地が見えない
Ｂ：インクに被覆されず、下地が露出している部分が１０%未満ある
Ｃ：インクに被覆されず、下地が露出している部分が１０%以上ある
とした。
（堅牢性）
ＰＥＴ基材に１ｃｍ×１０ｃｍの範囲で１００％ｄｕｔｙの印刷を施したものを用意した。ステンレス製の容器に純水を入れ、ホットプレートで加熱し、９０℃〜９３℃程度で安定的に煮沸している環境にしたのち、印刷部分を下にして当該純水に投入し、そのまま３０分間印刷物ごと煮沸した。３０分後、印刷物を取り出し、水分をふき取り、自然乾燥したのちにテープ剥離試験を行い、以下のように評価した。
Ａ：５回テープ剥離試験を行い、５回とも剥離が起こらなかった
Ｂ：５回テープ剥離試験を行い、１回以上３回以下、剥離が起こった
Ｃ：５回テープ剥離試験を行い、４回以上、剥離が起こった
以下、表２〜４に、印刷の条件及び評価結果を示す。
【０１４６】
【表２】
0006429008.tif 000003
【０１４７】
【表３】
0006429008.tif 000004
【０１４８】
【表４】
0006429008.tif 000005
【０１４９】
表２は、距離Ｂを変化させて印刷した結果を示し、表３は、ガス種及び流量を変化させて印刷した結果を示し、表４は、プラズマ照射部の配置及びパス数を変化させて印刷した結果を示す。なお、表４中、例２０及び例２１は、親水化ガス又は撥水化ガスのいずれかを供給しないで印刷した結果を示す。
【０１５０】
表２をみると、距離Ｂの値が、２ｍｍ以上１０ｍｍ以下で、埋まり性及び堅牢性の良好な印刷が可能であることが判明した。ただし、距離Ｂが１０ｍｍの例５については、埋ま
り性及び堅牢性が若干不十分となった。これは、メディア２とプラズマ照射部が離間することにより、プラズマによる親水化及び撥水化の効果が弱まったためと考えられる。なお、表１の各例ともに、リモート型のプラズマ照射部を用いているため、メディア２に対する放電現象による印刷画像への影響は全く生じなかったが、例１のように距離Ｂが２ｍｍ程度の場合には、放電現象が生じる可能性がある。以下、表１の例３を基準として各例の結果を説明する。
【０１５１】
表３の例６、７、１０、１１をみると、親水化ガス及び撥水化ガスともに、適正な流量の範囲があることが判明した。すなわち、ジェット型（スポット型）のプラズマ照射部の場合、流量が５（Ｌ）〜１０（Ｌ）程度になると、プラズマ放電（グロー放電）よりもコロナ放電（不均一な放電）が優位となり、プラズマの発生が不安定となること、及び、流量が４０（Ｌ）程度となると、プラズマは発生するもののガス中のプラズマの密度が低下していると考えられる。ただし、表３の例６、７、１０、１１程度の流量であれば、埋まり性及び堅牢性の良好な印刷が可能であることが判明した。
【０１５２】
一方、表２の例３、表３の例８及び例９をみると、親水化ガスの種類として、窒素及び酸素（窒素９７：酸素３）の混合ガスを原料とするほうが、窒素のみ（例８）とする場合、並びに、アルゴン及び酸素（アルゴン９７：酸素３）の混合ガスとする場合よりも、埋まり性が良好であった。
【０１５３】
また、表２の例３、表３の例１２及び例１３をみると、撥水化ガスの種類として、ＣＦ４を原料とした場合（例３）及びＣ２Ｆ６とした場合（例１２）、良好な堅牢性が得られ、これに対して、窒素ガスを用いた場合（例１３）には、堅牢性を確保できないことが判明した。このことから、撥水化ガスとしては、フッ素系のガスが非常に有効であることが判明した。
【０１５４】
表４の例１４、例１５をみると、１パス印刷及び４パス印刷ともに、埋まり性及び堅牢性の良好な印刷が可能であることがわかる。例１４では、埋まり性が若干劣っているが、これは、印刷部位に対する親水化プラズマ処理が、例３の２パス印刷の場合の２回に比較して、１回であるためと考えられる。また、例１５では、堅牢性が若干劣っているが、これは、印刷部位に対する親水化プラズマ処理が、例３の２パス印刷の場合の２回に比較して、４回であるためと考えられる。なお、例１５の４パス印刷では、親水化プラズマの照射を２パス目以降において停止させていないため、このような結果となったが、３パス目以降における親水化プラズマの照射を停止させるか、印刷完了までに親水化プラズマ照射を２回行うように制御すれば、例えば例３のようなさらに良好な結果となることが予想できる。
【０１５５】
表４の例１６をみると、ライン型のプラズマ照射部を用いても、スポット型の場合と遜色のない良好な結果が得られることが分かる。ただし、ライン型では、スポット型に比較して照射範囲の切り替えに制限が生じることがあり、また、原料ガスの使用量も大きくなることが分かっている。
【０１５６】
表４の例１７〜例１９は、キャリッジ内のプラズマ照射機構の配置による影響を調べた結果である。例１７は、ヘッドのノズル列の長さの範囲から外れて配置された部分プラズマ照射部を撥水化専用とし、ヘッドのノズル列の長さの範囲内に配置された部分プラズマ照射部を親水化専用とした例である。例１７の結果をみると、例３と同様に良好な結果が得られることがわかった。また、例１８は、例１５に示したように、４パス印刷可能なキャリッジ構成で、２パス印刷を試みた例である。４パス印刷可能なキャリッジ構成であれば、部分プラズマ照射部の切り替え機構を制御することで、２パス印刷に使用しても、埋まり性及び堅牢性の良好な印刷が可能であることが判明した。例１９は、ヘッドのノズル
列の長さの範囲から外れて配置された部分プラズマ照射部を撥水化専用とし、ヘッドのノズル列の長さの範囲内に配置された部分プラズマ照射部を親水化専用とし、４パス印刷に適用した例である。例１７と同様に、良好な結果が得られることがわかった。ただし、図６（ｄ）のキャリッジ構成は、２パス印刷には適用できないことがわかる。その理由は、撥水化専用プラズマ照射部のＹ方向の長さが、メディアの搬送長さの半分程度となってしまい、条件によっては全面を撥水化できないからである。
【０１５７】
表４の例２０及び例２１は、それぞれ、親水化ガス及び撥水化ガスを供給しないで印刷した例である。いずれか一方のプラズマを照射しないと、本願の効果が得られないことが分かる。
【０１５８】
本発明は、上述した実施形態に限定されるものではなく、さらに種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０１５９】
１…インクジェット記録装置、２…メディア、１０…搬送機構、１１…ローラ、１２…プラテン、２０…プラズマ照射機構、２１ａ…第１プラズマ照射部、２１ｂ…第２プラズマ照射部、２２…ガス供給室、２３…電極対、２３ａ…電極、２３ｂ…電極、２４…プラズマ電源、２５…プラズマ照射口、２６…排気管、２６ａ…排気管、２６ｂ…排気管、２７…部分プラズマ照射部、２７ａ…撥水化専用部分プラズマ照射部、２７ｂ…親水化専用部分プラズマ照射部、３０…キャリッジ、４０…ヘッド、４１…ノズル、６０…切り替え機構、６１ａ…親水化ガス供給源、６１ｂ…撥水化ガス供給源、６２ａ，６２ｂ…マスフローコントローラー（ＭＦＣ）、６３…三方弁、６５…シャッター、６６…シャッター駆動部、６７…制御部、
【図１】
0006429008.tif 000006
【図２】
0006429008.tif 000007
【図３】
0006429008.tif 000008
【図４】
0006429008.tif 000009
【図５】
0006429008.tif 000010
【図６】
0006429008.tif 000011
【図７】
0006429008.tif 000012
【図８】
0006429008.tif 000013
【図９】
0006429008.tif 000014
【図１０】
0006429008.tif 000015
【図１１】
0006429008.tif 000016